(57)【要約】【課題】本発明は、複数の出力キャパシタを必要とせずに、負荷の各供給電圧を独立して調整できる電圧ステップアップ又はステップダウンスイッチモード電源型のパワーコンバータを提供することを目的とする。【解決手段】複数の負荷でパワーコンバータを共有することにおいて、パワーコンバータがそれぞれに専用となる周期的な給電時間ウィンドウを各負荷に割り当て、前記負荷の残留時間に従って、時間ウィンドウの周期性が選択される。【選択図】図４
2006050894.tif 000002
【特許請求の範囲】
【請求項１】
互いに独立する複数の負荷（１１，１２）に電圧（Ｖｏｕｔ）を供給するスイッチモード電源型のパワーコンバータにおいて、
ＤＣ供給電圧のストローブパルスを生成する回路（５）と、
前記ストローブパルスの最大継続時間に比較して長く、且つ、前記負荷の動作時間に比較して短い継続時間の周期（Ｔ）内に、少なくとも１つの給電周期（Ｔ１，Ｔ２）を各負荷に割り当て、該周期中に、前記回路が負荷に提供される電圧を調整する手段と
を有することを特徴とするパワーコンバータ。
【請求項２】
前記出力電圧（Ｖｏｕｔ）を提供する第１端子（１）と、共通電流電圧変換素子（Ｒ）によってグラウンド（２）に接続される端子（６）との間に、各負荷（１１，１２）がスイッチ（Ｋ１，Ｋ２）と直列に接続されることを特徴とする請求項１に記載のコンバータ。
【請求項３】
前記各負荷に給電周期を割り当てるために、前記スイッチ（Ｋ１，Ｋ２）を制御する回路（７）を有することを特徴とする請求項２に記載のコンバータ。
【請求項４】
前記ストローブパルス生成回路（５）のための制御信号（ＦＢ）は、前記電流電圧変換素子（Ｒ）の両端でサンプルされることを特徴とする請求項２に記載のパワーコンバータ。
【請求項５】
電流制限素子（１３）は、前記スイッチ（Ｋ１，Ｋ２）と前記電流電圧変換素子との前記接続ポイント（６）に接続され、前記ストローブパルスを生成する前記回路（５）のための前記制御信号（ＦＢ）は、各負荷（１１，１２）と対応スイッチとのそれぞれの接続ポイントでサンプルされ、各サンプルポイントと前記ストローブパルスを生成する前記回路（５）の対応入力との間に、同期スイッチ（１６，１７）が挿入されることを特徴とする請求項２に記載のコンバータ。
【請求項６】
前記２つの負荷（１１，１２）の前記給電周期のデューティーサイクルは、互いに反転であることを特徴とする請求項１に記載のコンバータ。
【請求項７】
給電されるべき前記負荷（１１，１２）は、直列の発光ダイオードで形成されることを特徴とする請求項１に記載のパワーコンバータ。
【請求項８】
複数の独立する負荷でパワーコンバータを共有する方法において、パワーコンバータがそれぞれに専用となる周期的な給電時間ウィンドウを各負荷に割り当て、前記負荷の残留時間に従って、前記時間ウィンドウの周期性が選択されることから成ることを特徴とする方法。
【発明の詳細な説明】
【技術分野】
【０００１】
本発明は、パワーコンバータの分野に関し、より詳細にはスイッチモード電源型のＤＣ／ＤＣコンバータに関する。本発明は、互いに独立する複数の負荷に給電するステップアップ又はステップダウンコンバータに適応する。
【背景技術】
【０００２】
パワーコンバータによって給電された負荷は異なる性質である。携帯電話又は携帯情報端末（ＰＤＡ）に使用されるバックライトスクリーンが例示的な応用例である。直列に結合された複数の発光ダイオード（一般的には白色ダイオード）が異なる負荷を形成する。望ましいバックライトの輝度に従って、１つ又は他の負荷が給電される。別の例示的な応用例は、給電されるブランチ間で半波によって実行される電力調光機能である。
【０００３】
図１は、互いに独立する複数の負荷に給電するＤＣ／ＤＣコンバータの第１の従来例を示している。
【０００４】
入力端子３とグラウンド２との間に印加されるＤＣ入力電圧Ｖｄｃより高い電圧Ｖｏｕｔを、出力端子１とグラウンド２との間に提供する電圧ステップアップコンバータを示している。ステップアップコンバータにおいて、ダイオードＤと直列の誘導素子Ｌによって、端子３及び１が互いに接続され、ダイオードＤの陰極は端子１に接続されている。出力電圧は、端子１をグラウンドに接続するキャパシタＣの両端でサンプルされる。インダクタンスＬ及びダイオードＤの接続ポイント４とグラウンドとの間にカットオフスイッチＭが接続される。スイッチＭは回路５（例えばＰＷＭ  ＣＴＲＬ）によって制御され、回路５は、参照値（ＯＲ）及び制御信号ＦＢに従ってスイッチＭをオンにするパルスを提供する。ブロック５はまた、クロック信号ｆＭを受信してスイッチＭの制御パルスを生成可能にする。回路５により制御パルスで実行される制御は、パルス幅変調型（ＰＷＭ）、周波数幅変調型（ＦＷＭ）等である。
【０００５】
パワーコンバータは、複数の独立する負荷に給電するものである。図１に示されている例において、２つの負荷１１（Ｑ１）及び１２（Ｑ２）は、端子１に接続されている。各負荷はスイッチと直列につながれ、Ｋ１，Ｋ２がそれぞれ信号Ａ１，Ａ２によって制御され、負荷１１又は１２のどちらが電圧Ｖｏｕｔで給電されるべきかを選択する。抵抗Ｒ１又はＲ２は、それぞれ各負荷のスイッチをグラウンド２に接続する。
【０００６】
図１に示されているようなパワーコンバータにおいて、電圧Ｖｏｕｔの調整は、１つの負荷にのみ実行される。この例では、負荷１１と抵抗Ｒ１との間のポイント６で、信号ＦＢがサンプルされ、抵抗Ｒ１は、参照電圧ＯＲに従って電圧Ｖｏｕｔを制御する電流電圧コンバータとして使用されている。調整が適切に実行されるためには、抵抗Ｒ１及びＲ２が、給電された負荷１１及び１２間のインピーダンス差を補償しなければならない。そのような安定抵抗器は、システムロスを増加させる。
【０００７】
図２は、複数の負荷に給電するパワーコンバータの第２の従来例を示している。図１の構造と比較すると、負荷１１及び１２の構造が異なるだけである。この例において２つの負荷１１及び１２は、端子１とグラウンド２との間で抵抗Ｒと直列につながれ、各負荷は、それぞれの信号Ａ１，Ａ２で制御されるスイッチＫ１，Ｋ２によって短絡できる。端子１と、負荷１２及び抵抗器Ｒの接続ポイント６との間で、２つのスイッチＫ１及びＫ２が直列につながれている。
【０００８】
図１の構造と比較すると、この構造は、２つの負荷を共通して調整するという利点を有する。しかしながら、同時に２つの負荷に給電できるように出力電圧Ｖｏｕｔが高くなければならず、より大きなスイッチＭを課すことになる。
【０００９】
この構造の別の欠点は、抵抗Ｒにおいて恒常消費を発生させ、システムの真の遮断機能を妨げることである。
【００１０】
別の欠点は、給電された負荷の出力変化が互いに独立できないことである。
【００１１】
図３は、複数の負荷に給電する電力調整回路の第３の従来例を示している。この例において、各負荷１１，１２は、特定のキャパシタＣ１，Ｃ２によって給電される。ダイオードＤの陰極１は、スイッチＫ１又はＫ２を介してそれぞれ各キャパシタＣ１，Ｃ２に接続される。負荷Ｑ１及びＱ２の供給電圧Ｖｏｕｔ１及びＶｏｕｔ２は、それぞれキャパシタＣ１及びＣ２の両端でサンプルされる。スイッチＭを切る制御パルストレインを提供する回路５’は、各々負荷１１及び１２を別々にグラウンドに接続する抵抗Ｒ１及びＲ２の両端でそれぞれサンプルされる２つの制御信号ＦＢ１及びＦＢ２を受信する。
【００１２】
図３の解決策は、１つの負荷に対して１つのフルコンバータを提供する解決策に類似しており、大きさの点で望ましくない。
【００１３】
この構造により、各負荷供給電圧を独立して調整することができる。しかしながら、調整装置の２つの出力キャパシタ及び２つのフル出力電圧調整ループが必要とされる。更に、負荷Ｑ１及びＱ２の制御は、インダクタンスＬに蓄積された電力の管理を複雑にする。
【００１４】
別の欠点は、スイッチＫ１及びＫ２が、それらに直列につながれた負荷１１及び１２に関して更なるエネルギー損失を起こすのを防ぐためにオン状態で小さい抵抗を示さなければならないことである。
【発明の開示】
【発明が解決しようとする課題】
【００１５】
本発明は、既知の解決策の欠点を克服する電圧ステップアップ又はステップダウンスイッチモード電源型のパワーコンバータを提供することを目的とする。
【００１６】
本発明は特に、複数の出力キャパシタを必要とせずに、負荷の各供給電圧を独立して調整できることを目的とする。
【００１７】
本発明はまた、各負荷が出力変化機能を適用できることを目的とする。
【００１８】
本発明はまた、１つの調整基準入力を有するカットオフスイッチを制御するパルストレイン生成回路の利用と互換性のある集積可能な解決策を提供することを目的とする。
【課題を解決するための手段】
【００１９】
これら及びその他の目的を達成するために、本発明は、
互いに独立する複数の負荷に電圧を提供するスイッチモード電源型のパワーコンバータにおいて、
ＤＣ供給電圧のストローブパルスを生成する回路と、
前記ストローブパルスの最大継続時間に比較して長く、且つ、負荷の動作時間に比較して短い継続時間の周期内に、少なくとも１つの給電周期を各負荷に割り当て、該周期中に、前記回路が、負荷に提供される電圧を調整する手段とを有するパワーコンバータを提供する。
【００２０】
本発明の実施形態によると、出力電圧を提供する第１端子と、共通電流電圧変換素子によってグラウンドに接続される端子との間に、各負荷がスイッチと直列に接続される。
【００２１】
本発明の実施形態によると、コンバータは、各負荷に給電周期を割り当てるために、前記スイッチを制御する回路を有する。
【００２２】
本発明の実施形態によると、前記ストローブパルス生成回路のための制御信号は、電流電圧変換素子の両端でサンプルされる。
【００２３】
本発明の実施形態によると、電流制限素子は、前記スイッチと、電流電圧変換素子との接続ポイントに接続され、ストローブパルスを生成する前記回路のための制御信号は、各負荷と対応スイッチとのそれぞれの接続ポイントでサンプルされ、各サンプルポイントとストローブパルスを生成する前記回路の対応入力との間に、同期スイッチが挿入される。
【００２４】
本発明の実施形態によると、２つの負荷の給電周期のデューティーサイクルは、互いに反転である。
【００２５】
本発明の実施形態によると、給電されるべき前記負荷は、直列の発光ダイオードで形成される。
【００２６】
本発明はまた、複数の独立する負荷でパワーコンバータを共有する方法において、パワーコンバータがそれぞれに専用となる周期的な給電時間ウィンドウを各負荷に割り当て、前記負荷の残留時間に従って、時間ウィンドウの周期性が選択されることから成る方法を提供する。
【００２７】
本発明の前述の目的、特徴及び利点及びその他のものは、添付の図面に関連して以下の何ら限定されることのない詳細な実施形態の説明で詳しく述べられる。
【発明を実施するための最良の形態】
【００２８】
異なる図において、同一素子は同一参照符号で示されており、図５、図７及び図９のタイミング図は、スケールが引き伸ばされたものである。明確にするために、本発明の理解に有効な素子のみが図に示されており、以下で説明される。特に、カットオフスイッチの制御パルストレイン生成回路の詳細な構成は、詳しく述べられておらず、本発明の目的ではなく、本発明は、従来のどんなパルストレイン生成回路の利用とも互換性がある。
【００２９】
本発明は、ステップアップコンバータへの応用例に関して述べられる。しかしながら、本発明は一般的に、電圧ステップアップコンバータでもステップダウンコンバータでも、どんなコンバータにも適応し、コンバータのタイプによって異なるが、スイッチ及びダイオードの誘導素子の構造は本発明の動作には影響しない。
【００３０】
本発明の特徴は、負荷ごとに異なる、周期的な給電時間ウィンドウを各負荷に割り当てることである。
【００３１】
図４は、本発明によって２つの負荷１１及び１２に給電するパワーコンバータの実施形態をブロック形式で非常に概略的に示している。
【００３２】
この例において、負荷１１及び１２は、例えばスクリーンのバックライト素子を形成する発光ダイオードが直列に結合されたものである。例えば、負荷１１（Ｑ１）は直列に４つの発光ダイオードＬＥＤを有し、負荷１２（Ｑ２）は２つだけを有する。
【００３３】
実際の電力変換回路は、図１又は図２の従来の回路と同じコンポーネントを使用する。従って、Ｄ．Ｃ．入力電圧Ｖｄｃの印加端子３と、出力供給電圧Ｖｏｕｔを提供するキャパシタＣによってグラウンド２に接続される端子１との間で、カットオフスイッチＭが、誘導素子ＬとダイオードＤとの接続ポイント４に接続される。カットオフスイッチＭの制御パルスを提供する回路５は、図１及び図２に述べられた従来の回路に類似している。基本的に回路５は、望ましい出力電圧値の参照信号ＯＲを受信する入力と、調整信号ＦＢを受信する入力と、比較的高い周波数（一般的に数百キロヘルツ）のクロック信号ｆＭを受信する入力とを有する。
【００３４】
端子１と、別の端子がグラウンド２に接続される電流電圧変換抵抗Ｒの第１端子６との間で、各負荷１１又は１２は、それぞれスイッチＫ１又はＫ２と直列に接続される。フィードバック信号ＦＢは端子６からサンプルされる。
【００３５】
各スイッチは、例えばマイクロコントローラのような回路７（μＣ）によって提供される信号ＣＴ１又はＣＴ２によってそれぞれ制御される。回路７は、例えば、負荷１１及び１２の制御の必要性を設定する１つ又は複数の参照信号ＣＴを受信し、供給電圧Ｖｄｃの比較的高いカットオフ周波数と比べて比較的低い周波数で各負荷に割り当てられる時間周期を決定する。
【００３６】
図５Ａ，図５Ｂ，図５Ｃ及び図５Ｄは、図４に示されているようなパワーコンバータの動作をタイミング図で示している。図５Ａは、スイッチＫ１のオン周期（ＯＮ）を示している。図５Ｂは、スイッチＫ２のオン周期（ＯＮ）を示している。図５Ｃは、回路５がアクティブ（ＡＣＴ）つまり、出力電圧Ｖｏｕｔを調整するためにスイッチＭに制御パルストレインを提供する周期を示している。図５Ｄは、スイッチＭの例示的なターンオンパルストレイン（ＯＮ）を示している。
【００３７】
本発明は、たとえ恒久的に電圧を受信しなくても、コンバータが給電しなければならない負荷（特に発光ダイオード）が適切な動作をするという利点を有する。特に、ダイオードに対してその光が、給電停止時に周期を可能にするのに十分な残留を有する。これを達成するために、このダイオードの残留（より一般的には、負荷例えばモータが一時的に給電されない周期）を考慮し、各負荷の給電のそれぞれの周期Ｔ１，Ｔ２の反復周波数（図５Ｃの周期Ｔ）を設定する。システムが適切に動作するための別の条件は、異なる負荷のそれぞれの給電周期の周波数（１／Ｔ）がカットオフスイッチの制御周波数ｆＭより小さいことである。この条件が図５Ｄに示されており、回路５によって提供されるパルスの周期ＴＭは、負荷１１及び１２の制御シーケンスの反復周期Ｔと比べて非常に低いということを示している。
【００３８】
負荷１１及び１２に割り当てられた周期Ｔ１及びＴ２の反復周期Ｔは、負荷の平均時間（バックライトダイオードの場合少なくとも数秒）と比べると短く、ストローブパルスの周期（ＦＷＭ周波数モジュレーションの場合が最長）と比べると長い。例えば、周期Ｔは、ストローブパルスの周期より少なくとも１００倍大きく、負荷の平均時間より少なくとも１０倍小さい。
【００３９】
本発明の利点は、コンバータによって給電される各ブランチを独立して調整できることである。
【００４０】
それによる別の利点は、負荷が出力変化において互いに独立して調整できるということである。参照値ＯＲを周期Ｔ１及びＴ２と同期させればよい。この出力変化は、例えば回路５に提供された信号ＯＲによって直接条件付けられ、該信号は、考慮された負荷に対して受信する電力参照値に従ってマイクロコントローラ７によって変化されている。
【００４１】
より詳細には、図２の概略図と比べて本発明の別の利点は、回路における恒久的な消費を避け、コンバータの及び給電された負荷の真の遮断を可能にすることである。
【００４２】
本発明の別の利点は、給電されるべき負荷がいくつであろうと、１つのパワーコンバータを使用するということである。特に、図４に示されているように、マイクロコントローラ７は、１つ又は複数の追加制御信号ＣＴｉを別の負荷に提供する。その「残留」と互換性があり且つスイッチモード電力供給周波数より小さい周波数で、全ての負荷が周期的に給電されることが唯一の条件である。
【００４３】
好ましくは、それぞれの負荷給電周期（周期Ｔ１及びＴ２）は重なることがない。従って、スイッチＫ１及びＫ２の２つの制御信号ＣＴ１及びＣＴ２のデューティーサイクルはせいぜい反転である。
【００４４】
本発明では、最大出力電圧が最大の負荷に必要な電圧に対応するのでカットオフスイッチＭの大きさを最適化できることが結果的な利点である。
【００４５】
図６は、２つの負荷１１及び１２に割り当てられた周期が補完関係である場合（例えば６０％と４０％、２０％と８０％など）において、信号ＣＴ１及びＣＴ２を提供する回路７’の簡略化した実施形態を示している。この場合、回路７’は、入力として制御信号ＣＴを受信する単純なインバータＩＮＶを有し、再生入力信号ＣＴ（信号ＣＴ１）及び反転された信号ＣＴ（信号ＣＴ２）をそれぞれ２つの出力に提供する。
【００４６】
図７Ａ，図７Ｂ及び図７Ｃは、制御回路７’の動作をタイミング図で示している。それらは、制御信号ＣＴ（図７Ａ）、信号ＣＴ１（図７Ｂ）及び信号ＣＴ２（図７Ｃ）の例を示している。
【００４７】
図８は、本発明の付加的な実施形態によってスイッチＫ１及びＫ２を同期化する回路１０の実施形態を示している。それは負荷の発光ダイオードＬＥＤの数の（ここでは負荷１１は３つの発光ダイオードＬＥＤを有し、負荷１２は４つを有している）以外は図４で述べられた全ての素子を示している。
【００４８】
この例において、スイッチＫ１及びＫ２はＭＯＳトランジスタの形式である。
【００４９】
回路１０の機能は、１つの負荷から他の負荷への給電の遷移中にリニアモードでトランジスタＫ１及びＫ２を動作させることである。これを達成するために、電流制限素子１３は、第１端子で参照値ＲＥＦを受信し、一方第２端子は、スイッチＫ１及びＫ２を抵抗Ｒに接続するノード６に接続される。電流制限素子１３の出力は、信号ＣＴ１及びＣＴ２によってそれぞれ制御されるスイッチ１４及び１５を介してスイッチＫ１及びＫ２の各ゲートに接続される。
【００５０】
この実施形態によると、信号ＦＢは、スイッチＫ１及びＫ２のアップストリームでサンプルされる。従って、２つのスイッチ１６及び１７は、負荷１１及び１２とそれらのスイッチＫ１及びＫ２との相互接続ノードを、回路５の信号ＦＢの入力端子に接続する。そのスイッチ１６及び１７は、信号ＣＴ１及びＣＴ２によってそれぞれ制御される。最後に、２つのスイッチ１８及び１９は、ＭＯＳトランジスタＫ１及びＫ２の各ゲートをグラウンド２に接続する。トランジスタＫ２に関連するスイッチ１８は、信号ＣＴ１によって制御され、一方トランジスタＫ１に関連するスイッチ１９は、信号ＣＴ２によって制御される。
【００５１】
図９Ａ，図９Ｂ，図９Ｃ，図９Ｄ及び図９Ｅは、図８の回路の動作をタイミング図で示している。図９Ａは、信号ＣＴ１によって制御されるスイッチ１４，１６及び１８のオン周期（ＯＮ）を示している。図９Ｂは、信号ＣＴ２によって制御されるスイッチ１５，１７及び１９のオン周期（ＯＮ）を示している。図９Ｃは、負荷１１における電流ＩＬ１の形を示している。図９Ｄは、負荷１２における電流ＩＬ２の形を示している。図９Ｅは、電圧Ｖｏｕｔの形を示している。
【００５２】
時間ｔ０で、パワーコンバータが作動し、マイクロコントローラ７が第１負荷１１の伝導第１周期Ｔ１を設定するとする。スイッチ１４，１６及び１８は、オン状態であり、一方スイッチ１５，１７及び１９はオフ状態である。放電状態から始まり、電圧Ｖｏｕｔはゼロから、マイクロコントローラ７によって提供される参照値に対応する電圧レベルＶ１に達するまで増加する。負荷における電流ＩＬ１は、同時に、発光ダイオードに適合する公称電流Ｉｎｏｍに達するまで増加する。周期Ｔ１の最後に、スイッチ１４，１６及び１８がオフにされる（時間ｔ１）。図９のタイミング図の左側において、デューティーサイクルは反転しないとする。従って、負荷１２の給電開始時間であってスイッチ１５，１７及び１９がオンになる時間ｔ２は、時間ｔ１より遅れている。負荷１２は、第１の負荷より多くの発光ダイオードを有しており、同じ電流Ｉｎｏｍに対する電圧Ｖｏｕｔは、負荷１１の給電時より高い（レベルＶ２）はずである。回路５で参照値ＯＲによって条件付けられた出力変化の場合、それに応じてレベルＶ１及びＶ２が適合される。電流ＩＬ２では、異なるスイッチをオン状態にするのに関連してピークが起こるのを電流制限素子１３が防ぐ。
【００５３】
時間ｔ３で第２負荷の給電周期Ｔ２が終了するとする。レベルＶｏｕｔは、第１負荷の次の開始時間ｔ０までレベルＶ２を維持する。この時に、レベルＶｏｕｔがレベルＶ１に落ち、第１負荷における電流ＩＬ１が増加する。レベルＶ１付近において、調整によるレベルＶｏｕｔの僅かな降下（ポイントｐ）がみてとれる。
【００５４】
図９のタイミング図の右側の部分において、デューティーサイクルの５０％が、各負荷１１及び１２に対するとする。５０％のデューティーサイクルにより、時間ｔ１’（周期Ｔ１の終わり）及びｔ２’（周期Ｔ２の始め）が混乱し、時間ｔ０’（周期Ｔ１の始め）及びｔ３’（周期Ｔ２の終わり）が混乱する。前述の場合のように、時間ｔ２’で電流ピークが起こるのを電流リミッタ１３が防ぐ。
【００５５】
勿論、本発明は、当業者に容易に起こる変形、修正、改良及び修正を有する。特に、本発明は電圧ステップアップコンバータに関して述べてきたが、電圧ステップダウンコンバータにも制御を修正することなく適応する。実際の変換段階にのみ違いがあり、従来のままである。
【００５６】
更に、パワーコンバータ及び制御された負荷の動作に適合した制御信号の生成は、上記にあげられた機能的な指示に基づいており、従来のツールを利用することによる当業者の能力の範囲内である。
【００５７】
更に、２つ以上の負荷が互いに独立して制御される。
【００５８】
最後に、同一の周期Ｔ内において、各負荷に対するそれぞれの１周期Ｔ１又はＴ２の代わりに、他の負荷と異なる数の周期数が提供される。例えば、全ての負荷の単一の（unity）給電周期が周期Ｔの商として設定され、この負荷に望ましい電力に従って、いくつかの単一周期数が各負荷に割り当てられる。
【００５９】
そのような変形、修正及び改良は、この開示の一部であり、本発明の精神及び範囲内である。従って、前述の説明は、単なる例であり、制限するものではない。本発明は、請求項及びその均等物にのみ限定される。
【図面の簡単な説明】
【００６０】
【図１】従来技術及び解決する問題を示している。
【図２】従来技術及び解決する問題を示している。
【図３】従来技術及び解決する問題を示している。
【図４】本発明によるパワーコンバータの実施形態をブロック形式で非常に概略的に示している。
【図５】図４のコンバータの動作を示している。
【図６】図４のコンバータの選択素子の簡略化された実施形態を示している。
【図７】図６の素子の動作をタイミング図形式で示している。
【図８】図４のパワーコンバータの制御回路の詳細な実施形態を示している。
【図９】図８のコンバータの動作をタイミング図形式で示している。
【符号の説明】
【００６１】
１，３，６  端子
２  グラウンド
４  接続ポイント
５，５’，７，７’，１０  回路
１１，１２  負荷
１３  電流制限素子
１４，１５，１６，１７，１８，１９  スイッチ
【図１】
2006050894.tif 000003
【図２】
2006050894.tif 000004
【図３】
2006050894.tif 000005
【図４】
2006050894.tif 000006
【図５】
2006050894.tif 000007
【図６】
2006050894.tif 000008
【図７】
2006050894.tif 000009
【図８】
2006050894.tif 000010
【図９】
2006050894.tif 000011
【外国語明細書】
2006050894.tif 000012
2006050894.tif 000013
2006050894.tif 000014
2006050894.tif 000015
2006050894.tif 000016
2006050894.tif 000017
2006050894.tif 000018
2006050894.tif 000019
2006050894.tif 000020
2006050894.tif 000021
2006050894.tif 000022
2006050894.tif 000023
2006050894.tif 000024
2006050894.tif 000025
2006050894.tif 000026
2006050894.tif 000027
2006050894.tif 000028
2006050894.tif 000029